(57)【要約】【課題】簡素な構成で安価であり、迅速かつ容易に観測者から離れた位置にある対象物と観測者とを結ぶ直線と対象物を通る鉛直線とがなす垂直面内の角度を測定することができる角度測定器を提供する。【解決手段】本発明の角度測定器１は、ヒンジ２を介して開閉可能に接続されている基体３、蓋体４と、基体３の蓋体４との対向面に設けられた半円分度器の形状の目盛り盤５と、半円分度器の角度中心点に回転可能に軸支された針体６と、基体３の上辺に設けられた照準部材としてのスコープ状の筒体７と、蓋体４の基体３との対向面に設けられた鏡体８とを備えている。針体６は目盛り盤５が垂直面内に配置されたときに鉛直方向を維持するように構成されている。基体３を傾斜させて筒体７により対象物に照準を合わせ、鏡体８に映った目盛り盤５の鏡像の角度目盛りの角度を読みとることにより、垂直角度を測定する。【選択図】図１
2007278939.tif 000002
【特許請求の範囲】
【請求項１】
観測者から離れた位置にある対象物と観測者とを結ぶ直線と対象物を通る鉛直線とがなす垂直面内の角度を測定するための角度測定器であって、
ヒンジ機構を介して互いに接続されており、該ヒンジ機構のヒンジ軸線を中心に回転して開閉するようになっている基体および蓋体と、
前記基体における前記蓋体と対向する面側に配置されている、前記ヒンジ軸線に対して略垂直に伸びる基準線の方向を０°、該基準線と垂直な方向を９０°とした角度目盛りを同心円上に目盛った目盛り盤と、
前記同心円の中心点に回転自在に軸支されており、前記目盛り盤が前記垂直面内に配置されたときに鉛直方向を維持するようになっている、前記目盛り盤の角度目盛りを指示するための針体と、
前記基体に設けられており、前記目盛り盤の基準線と平行な対物照準線を有している、観測者が前記基体の自由端側から前記ヒンジ機構の方を見て対象物に照準を合わせるための照準部材と、
前記蓋体における前記基体と対向する面側に配置されている、前記目盛り盤および前記針体の鏡像を映すための鏡体と、
を備えていることを特徴とする角度測定器。
【請求項２】
前記基体における前記蓋体に対向する面側に凹部が設けられており、該凹部内に前記目盛り盤および前記針体が収容されており、前記凹部が透明なカバーで覆われていることを特徴とする、請求項１に記載の角度測定器。
【請求項３】
前記照準部材がスコープ状の筒体であることを特徴とする、請求項１または２に記載の角度測定器。
【請求項４】
前記筒体の前記ヒンジ機構側の一端には、対象物への照準合わせ用の指標が設けられていることを特徴とする、請求項３に記載の角度測定器。
【請求項５】
前記基体および／または前記蓋体に、前記基体と前記蓋体との間の角度を前記目盛り盤および前記針体の鏡像が前記鏡体に映るような角度に固定するための位置決め手段が設けられていることを特徴とする、請求項１〜４のいずれか１項に記載の角度測定器。
【発明の詳細な説明】
【技術分野】
【０００１】
本発明は、観測者から離れた位置にある対象物と観測者とを結ぶ直線と対象物を通る鉛直線とがなす垂直面内の角度を測定する角度測定器に関する。
【背景技術】
【０００２】
観測者から離れた位置に存在する対象物と観測者とを結ぶ直線と鉛直線とがなす垂直面内の角度（以下、「垂直角度」という。）を測定するためには、一般的なレーザー発光装置を備えた角度測定器を使用することができる。
【０００３】
また、架空電線工事において、垂直角度に相当する電柱と支線のなす垂直面内の角度（以下、「支線の取り付け角度」という。）の測定が支線の太さ（支線を構成する素線の条数）を選定する上で必要である。図７は、電柱の周囲の構造の一例を示した概略図である。この図において、電柱２０には高圧線、低圧線等の架空電線２１が吊架されており、さらに、架空電線２１との張力のバランスを取り電柱２０の倒壊、傾斜を防ぐために支線２２が配置されている。この支線２２は一般には亜鉛メッキ鋼の素線を依り合わせた依り線で構成されており、支線の一端は電柱２０の上端付近に装着された支線バンド２３にａ点で連結され、他端は地中にｂ点で埋設されている。そして、電柱に取り付けられるべき支線２２の太さは、電柱２０の材質、架空電線２１の種類などに加えて、支線２２の取り付け角度（図７におけるθ）によって選定される。
【０００４】
特開平４−１４２４１９号公報（特許文献１）は、支線の取り付け角度の測定に使用することができる、図８に示す水平・鉛直度測定器を提案している。この測定器は、軸（３１ｃ）により回転可能に支持された指針（３１ａ）および重り（３１ｂ）を備えた鉛直指示片を、軸（３１ｃ）を中心に角度目盛り（３２ａ）を付したケース（３２）内に収容し、それぞれ長手方向に軸（３１ｃ）を通る中心基線（３３ａ，３４ａ）を引いた直線定規（３３，３４）をケース（３２）の両側に、一方はケース（３２）に固定して、他方は軸（３１ｃ）の周りに回動自在に取り付けている。支線の取り付け角度を測定する際には、直線定規（３３，３４）をこれらの中心基線（３３ａ，３４ａ）が一直線に並ぶように配置した上で、中心基線（３３ａ，３４ａ）が支線に沿うように配置し、指針（３１ａ）と中心基線（３３ａ）とのなす角度を角度目盛り（３２ａ）により求める。
【０００５】
【特許文献１】特開平４−１４２４１９号公報
【発明の開示】
【発明が解決しようとする課題】
【０００６】
しかしながら、一般的なレーザー発光装置を備えた角度測定器は、大型で高価である上に、測定に先立って水平基準点を定めなければならないため、操作が煩雑で簡易に使用することができない。
【０００７】
さらに、特許文献１の測定器を用いる場合には、中心基線（３３ａ，３４ａ）を支線に沿うように配置しなければならないため、支線を配置した後の支線の取り付け角度の測定のためには使用することはできるものの、支線を設置する前に予め取付けられるべき支線の取付け角度を測定し、測定値に従って支線の太さを選定するためには使用することができない。あるいは、支線の太さの選定のためにこの角度測定器を利用しようとする場合には、予め仮設支線を配置し、この仮設支線に中心基線（３３ａ，３４ａ）を沿わせて支線の取付け角度を測定し、測定後に仮設支線を除去する煩雑な作業が必要になる。
【０００８】
そこで、本発明の目的は、上記事情を考慮し、簡素な構成で安価であり、迅速かつ容易に垂直角度を測定することができる角度測定器を提供することである。
【０００９】
また、本発明の別の目的は、取り付けられるべき支線の太さを選定するために好適に利用することができる角度測定器を提供することである。
【課題を解決するための手段】
【００１０】
上述の目的は、垂直角度を測定するための角度測定器であって、ヒンジ機構を介して互いに接続されておりかつ該ヒンジ機構のヒンジ軸線を中心に回転して開閉するようになっている基体および蓋体と、上記基体における上記蓋体と対向する面側に配置されておりかつ上記ヒンジ軸線に対して略垂直に伸びる基準線の方向を０°、該基準線と垂直な方向を９０°とした角度目盛りを同心円上に目盛った目盛り盤と、上記同心円の中心点に回転自在に軸支されておりかつ上記目盛り盤が上記垂直面内に配置されたときに鉛直方向を維持するようになっている上記目盛り盤の角度目盛りを指示するための針体と、上記基体に設けられておりかつ上記目盛り盤の基準線と平行な対物照準線を有している観測者が上記基体の自由端側から上記ヒンジ機構の方を見て対象物に照準を合わせるための照準部材と、上記蓋体における上記基体と対向する面側に配置されている上記目盛り盤および上記針体の鏡像を映すための鏡体とを備えていることを特徴とする角度測定器によって達成される。尚、本発明において、「ヒンジ軸線に対して略垂直に伸びる基準線」の語は、ヒンジ軸線と基準線とのなす角度が９０°でもよく、９０°よりわずかに小さい角度、例えば６０°以上、好ましくは７０°以上、より好ましくは８０°以上であってもよいことを意味する。しかしながら、基準線がヒンジ軸線に対して垂直に伸びている（ヒンジ軸線と基準線とのなす角度が９０°）のが特に好ましい。
【００１１】
本発明の角度測定器によると、基体と蓋体とがヒンジ機構を介して互いに回転可能なように接続されており、基体における蓋体に対向する面側には目盛り盤と該目盛り盤の角度目盛りを指示するための針体とが設けられており、蓋体における基体との対向面側には鏡体が配置されているため、基体に対して蓋体を適当な位置まで回転させると、鏡体に目盛り盤および針体の鏡像が映るようになる。
【００１２】
そして、目盛り盤における角度目盛りは、ヒンジ軸線に対して略垂直に伸びる基準線の方向が０°、該基準線と垂直な方向が９０°となるように同心円上に設けられてあり、同心円の中心点に針体が回転自在にかつ上記目盛り盤が上記垂直面内に配置されたときに鉛直方向を維持するように支持されているため、目盛り盤が垂直面内に配置されかつ基準線が水平方向に配置されると、針体の先端（指針部）が角度目盛りの９０°を指すことになる。
【００１３】
従って、観測者が本発明の角度測定器をヒンジ機構が対象物側に来るように持ち、目盛り盤を垂直面内に配置しかつ基準線を水平方向に配置し、基体に設けられておりかつ目盛り盤の基準線と平行な対物照準線を有する照準部材を使用して上記基体の自由端側から上記ヒンジ機構の方を片方の目で見て水平な位置に存在する対象物に照準を合わせ、他方の眼で鏡体を見て鏡体に映った目盛り盤の鏡像の角度目盛りを読み取ると、垂直角度が９０°と測定される。
【００１４】
さらに、針体は目盛り盤が垂直面内に配置されたときに鉛直方向を維持するようになっているため、観測者が電柱の支線の地面側の設置予定位置（図７のｂ点）のわずかに電柱寄りの位置に立ち（あるいは座り）、本発明の角度測定器のヒンジ機構を電柱側に向けかつ目盛り盤を垂直面内に配置し、照準部材を片方の眼で見て支線の電柱側の設置予定位置（図７のａ点）に照準を合わせ、他方の眼で鏡体を見て鏡体に映った目盛り盤の鏡像の角度目盛りを読み取ると、取り付けられるべき支線の取り付け角度（図７のθ、垂直角度に相当）が測定される。本発明の角度測定器は、上述のように仮設支線を設置しなくても取り付けられるべき支線の取り付け角度を容易かつ迅速に測定することができるため、電柱に設置される支線の太さの選定のために好適に使用することができる。
【００１５】
上記目盛り盤の角度目盛りは、同心円の全周にわたって設けられており、目盛り盤が全円分度器の形状を有していてもよいが、一般には、角度目盛りが同心円の半周にわたって設けられた半円分度器の形状を有している。また、上記基体に設けられた目盛り盤が垂直面内に配置されたときに針体が鉛直方向を維持するように構成するには、針体の重心が目盛り盤の角度目盛りの同心円の中心点から偏るように針体を軸支するとよい。特に、上記針体の一端側に上記目盛り盤の角度目盛りを指示するための指針部を、他端側に錘部を設けると、簡単に目的の針体を得ることができる。
【００１６】
さらに、上記基体における蓋体に対向する面側に凹部を設け、該凹部内に上記目盛り盤と上記針体とを収容し、上記凹部を透明なカバーで覆っておくと、角度測定器の閉成状態での蓋体（または鏡体）による目盛り盤および針体への負荷を無くすことができるため好ましい。
【００１７】
上記基体および上記蓋体の形状には特に限定がないが、上記基体と上記蓋体とが矩形状の板体で構成されており、上記基体と上記蓋体とが矩形状の板体の一辺で上記ヒンジ機構により接続されており、上記照準部材が上記ヒンジ軸線に対して垂直に伸びる辺上に設けられていると、構造がコンパクトになり、角度測定器を取り扱いやすくなる。
【００１８】
上記照準部材の形状は、上記目盛り盤の基準線と平行な対物照準線を有しており、かつ観測者がヒンジ軸線側に存在する対象物に照準を合わせることができれば特に限定はない。例えば、上記矩形状の基体のヒンジ軸線に対して垂直に伸びる辺上に、照準を合わせるための照準板を設けてもよい。しかしながら、照準部材をスコープ状の筒体、例えば上記矩形状の基体のヒンジ軸線に対して垂直に伸びる辺上に設けられたスコープ状の筒体、の構造に構成すると、対象物に照準を合わせやすいため好ましく、上記筒体のヒンジ機構側の一端に対象物への照準合わせ用の指標が設けられていると、さらに対象物に照準を合わせやすくなり、上記筒体の他端に観測者が筒体を覗く際の観測者の目を保護するためのパッドが設けられていると、垂直角度の測定を安全に行うことができるため好ましい。
【００１９】
上記目盛り盤の角度目盛りには、所定角度毎に、角度を示す数値が記入されていると、鏡体に映った目盛り盤の鏡像の角度目盛りの角度値を読み取りやすくなるため好ましく、上記数値は、上記鏡体に映った目盛り盤の鏡像の文字認識が容易となるように、逆文字で記入されているのがより好ましい。また、上記角度を示す数値の近傍にさらに、上記基準線の方向を９０°、該基準線と垂直な方向を０°とした第２の数値が所定角度ごとに正文字で記入されていると、電柱に支線を取り付けた後で、目盛り盤の角度目盛りの基準線を支線に沿わせることにより、支線と水平線とのなす角度を測定することができ、ひいては支線の取り付け角度の測定および支線の太さの選定にミスがなかったかを確認することができるため好ましい。
【００２０】
また、上記基体および／または上記蓋体に、上記基体と上記蓋体との間の角度を上記目盛り盤および上記針体の鏡像が上記鏡体に映るような角度に固定するための位置決め手段が設けられていると、垂直角度測定時の基体に対する蓋体の位置が固定されるため、安定して測定を行うことができ、また鏡体に映る目盛り盤の鏡像の角度目盛りの角度値の読み取りを安定して行うことができる。測定時の基体と蓋体の間の角度は、一般に３０〜８０°、好ましくは４５〜７５°、特に好ましくは６０〜７０°の範囲に設定される。また、上記基体および／または上記蓋体に、閉成状態を維持するための開放阻止手段を設けておくと、角度測定器不使用時に基体に対して蓋体が回転してしまうのを阻止することができるため好ましい。
【発明の効果】
【００２１】
本発明の角度測定器は簡素な構成でかつ安価であり、この角度測定器によれば測定に先立って基準点を定める必要もなく、迅速かつ容易に垂直角度を測定することができる。
【００２２】
また、本発明の角度測定器によれば、電柱に仮設支線を設置しなくても取り付けられるべき支線の取り付け角度を容易かつ迅速に測定することができるため、設置される支線の太さの選定のために本発明の角度測定器を好適に使用することができる。
【発明を実施するための最良の形態】
【００２３】
以下、本発明の実施の形態について、図面を参照しながら詳細に説明する。
【００２４】
（第１実施形態）
図１（Ａ）は、本発明の一実施形態における角度測定器の開放状態を示す正面図、図１（Ｂ）は閉成状態を示す斜視図である。
【００２５】
図１において、角度測定器１は、ヒンジ２を介して開閉可能に接続されている基体３、蓋体４と、基体３の蓋体４との対向面に設けられた半円分度器の形状の目盛り盤５と、半円分度器の角度中心点に回転可能に軸支された針体６と、基体３の上辺に設けられた照準部材としてのスコープ状の筒体７と、蓋体４の基体３との対向面に設けられた鏡体８とを備えている。
【００２６】
基体３および蓋体４は、樹脂、木質材料、軽金属等により矩形状に形成されており、その上辺は、後述する目盛り盤５の角度目盛りの基準線（０°−０°線）５ａと平行になるように形成されており、筒体７はこの上辺に沿って設けられている。この実施の形態では、基体３の底辺も目盛り盤５の角度目盛りの基準線５ａと平行である。また、基体３の底辺には、先端に鉤部を備えた係止部材９の一端が固定されている。
【００２７】
この係止部材９の鉤部は、角度測定器１の使用時には、その開放位置における基体３と蓋体４との間の角度を固定するために、蓋体４の底辺に設けられた先端に環部を備えた第１の係合部材１０の環部と係合する。すなわち、係止部材９と第１の係合部材１０により、角度測定器１の使用時における基体３と蓋体４との間の角度を固定するための位置決め手段が構成される。係止部材９および第１の係合部材１０の基体３および蓋体１４への取り付け位置は、基体３と蓋体４の間の角度が目盛り盤５および針体６の鏡像が鏡体８に映るような角度に固定されるように設定される。また、係止部材９の鉤部は、角度測定器１の不使用時には、蓋体４の底辺に設けられた先端に環部を備えた第２の係合部材１１の環部と係合する。すなわち、係止部材９と第２の係合部材１１により、基体３と蓋体４の閉成状態を維持するための開放阻止手段が構成される。
【００２８】
基体３における蓋体４との対向面には凹部３ａが設けられており、凹部３ａ内に目盛り盤５と針体６とが収容されており、凹部３ａが透明なカバー３ｂにより覆われている。図２は、基体３における蓋体４との対向面を示した図である。角度測定器１の目盛り盤３には、本実施の形態では、ヒンジ２のヒンジ軸線２ａに対して垂直にのびる基準線５ａの方向を０°、基準線５ａと垂直な方向を９０°とした１°単位で分割された角度目盛り５ｂが、同心円上に同心円の半周にわたって設けられており、同心円の中心点側には、垂直角度を示す第１の数値５ｃが１０°おきに逆文字で記入されている。さらに同心円の中心点側には、基準線５ａの方向を９０°、基準線５ａと垂直な方向を０°とした第２の数値５ｄが１０°おきに正文字で付されている。
【００２９】
指針６は、図２に示すように、軸６ａにより目盛り盤５の角度目盛り５ｂの同心円の中心点の位置に回転自在に軸支されている。針体６の一端には目盛り盤５に付された角度目盛り５ｂを指す先細りの指針部６ｂが設けられており、指針６の他端には錘部６ｃが設けられており、針体６の重心が目盛り盤５の角度目盛り５ｂの同心円の中心点から偏るように構成されている。従って、基体３に設けられた目盛り盤５が対象物と観測者とを結ぶ線と対象物を通る鉛直線により形成される垂直面内に配置されたときに、針体６は鉛直方向を維持することができる。
【００３０】
照準部材としての筒体７は、図１および２に示すように、断面が正方形の中空の４角柱の筒体であり、４角柱の長手方向に伸びる軸が対物照準線７ａになる。対物照準線７ａは、目盛り盤５の基準線５ａと平行である。筒体７の基端側（基体３の自由端側の端部）には、観測者の目Ｅを添えると共にその目Ｅを保護する弾性材料からなるパッド１２が設けられており、筒体７の先端側（ヒンジ２側の端部）には透明体７ｂが設けられている。この透明体７ｂには、対象物への照準合わせが容易になるように、十字状の指標７ｃ（図３参照）が印刷により設けられている。
【００３１】
蓋体４の基体３との対向面に設けられている鏡体８としては、シート状ミラー、ガラス状ミラー、金属薄膜塗装ミラー等の反射効率の高いものが使用されている。そして、図３に示すように、角度測定器１をヒンジ軸線２が鉛直線と平行になるように配置し、基体３および蓋体４の間の角度を適当に調節すると、鏡体８に目盛り盤５および針体６の鏡像が映るようになっている。鏡像において、垂直角度を表す第１の数値５ｃは正文字で表されることになる。
【００３２】
次に、本実施の形態の角度測定器１により電柱に取り付けられる支線の取り付け角度（図７におけるθ、垂直角度に相当）を測定する方法を説明する。
【００３３】
観測者は、地面の支線取り付け予定位置（図７のｂ点）よりわずかに電柱寄りの位置に立ち（または座り）、係止部材９の鉤部を第２の係合部材１１の環部からはずして基体３および蓋体４を開放し、係止部材９の鉤部を第１の係合部材１０の環部に係合させ、基体３と蓋体４の間の角度を固定した後、ヒンジ２を電柱側に向けかつ目盛り盤５を垂直面内に配置し、筒体７の端部のパッド１２に片方の目Ｅを当てて筒体７内を覗き、透明体７ｂの指標７ｃの十字の交点を電柱の支線取り付け位置（図７のａ点）に合わせる。この操作により、図４に示すように、基体３が傾き、針体６の指針部６ｂが目盛り盤５の角度目盛り５ｂの適当な値を示すようになる。指針部６ｂが示した角度が、電柱に取り付けられる支線の取り付け角度（図７におけるθ）に相当する。
【００３４】
従って、観測者は、片方の目Ｅで筒体７を覗きながら、他方の目で鏡体８に映った目盛り盤５の鏡像を見ることにより、針体６の指針部が示した角度目盛り５ｂの角度値を第１の数値５ｃを基準として読み取り、支線の取り付け角度を測定することができる。観測者は、この測定値に基づき、支線の太さを選定し、支線の設置作業を行うことができる。
【００３５】
また、本実施の形態の角度測定器１は、支線設置後の支線の取り付け角度の確認のためにも使用することができる。この場合には、図５に示すように、筒体７を支線２２に当てることにより、基体３を垂直角度の測定時とは逆向きに傾斜させる。そして、目盛り盤５の角度目盛り５ｂの角度値を第２の数値５ｄを基準にして読み取る。この数値は、観測者と対象物とを結ぶ線と局面的な水平面がなす垂直面内の角度（すなわち、仰角）を示している。観測者は、この測定値に基づき、支線の取り付け角度の測定および支線の太さの選定にミスがなかったかを確認することができる。
【００３６】
（第２実施形態）
図６（Ａ）は、本発明の他の実施形態における角度測定器の開放状態を示す斜視図、図６（Ｂ）は閉成状態を示す斜視図である。第１の実施形態と同じ部材には同じ記号を付して説明を省略し、以下では主に異なる点について説明する。
【００３７】
本実施の形態の角度測定器１では、気体３と蓋体４とが薄肉ヒンジ１３を介した樹脂の一体成型品として形成されている。薄肉ヒンジ１３の長手方向の軸がヒンジ軸線１３ａであり、ヒンジ軸線１３ａを中心に基体３と蓋体４とが開閉可能なようになっている。また、矩形の基体３の上辺には、十字状の指標１４ｃ，１４ｄが印刷された透明な照準板１４ａ，１４ｂが、照準部材として設けられている。照準板１４ａ，１４ｂの指標１４ｃ，１４ｄの十字の交点を結ぶ直線が対物照準線１４ｅであり、対物照準線１４ｅは目盛り板盤５の角度目盛り５ｂの基準線５ａと平行である。
【００３８】
電柱に取り付けられる支線の取り付け角度（図７におけるθ、垂直角度に相当）を測定する際には、観測者は、地面の支線取り付け予定位置（図７のｂ点）よりわずかに電柱寄りの位置に立ち（または座り）、基体３および蓋体４を開放し、薄肉ヒンジ１３を電柱側に向けかつ目盛り盤５を垂直面内に配置し、基体３の自由端側から薄肉ヒンジ１３の方向に向けて照準板１４ａを片方の目で覗き、照準板１４ａ、１４ｂの指標１４ｃ，１４ｄの十字の交点を電柱の支線取り付け位置（図７のａ点）に合わせ、他方の目で鏡体８に映った目盛り盤５の鏡像を見ることにより、針体６の指針部が示した角度目盛り５ｂの角度値を数値５ｃを基準として読み取り、支線の取り付け角度を測定することができる。観測者は、この測定値に基づき、支線の太さを選定し、支線の設置作業を行うことができる。
【００３９】
以下、２つの実施の形態について説明したが、本発明はこれらの実施の形態に限定されず、本発明の趣旨を逸脱しない範囲内での変更が可能である。例えば、基体と蓋体を平行な上辺と下辺とを有する台形状に形成し、斜辺をヒンジ機構により接続してもよい。このとき、目盛り盤はヒンジ軸線と角度目盛りの基準線（０°−０°線）とのなす角度が６０°以上になるように形成するとよい。また、目盛り盤の角度目盛りに０°〜３０°まで、３０°〜４０°まで、４０°〜５０°までといったエリアを設定し、そのエリアにおいて使用される部材の性質（例えば、支線を構成する素線の条数など）を明記してもよい。
【００４０】
また、第１の実施の形態において、筒体の基端側（基体の自由端側の端部）に接眼レンズを設けると共に筒体の先端側（ヒンジ機構側の端部）に対物レンズを設け、一定の光学倍率（例えば２倍）に設定することもでき、これらのレンズを設けた状態で筒体を伸縮可能とし、光学倍率を変更できるズーム方式を採用することも可能である。また、筒体を廃止して、基体の上辺または下辺自体を照準部材として利用してもよい。
【図面の簡単な説明】
【００４１】
【図１】本発明の一実施形態の角度測定器を示し、（Ａ）は開放状態の角度測定器の正面図、（Ｂ）は閉成状態の角度測定器の斜視図である。
【図２】図１の実施形態における、基体の蓋体との対向面の正面図である。
【図３】図１の実施形態の角度測定器を基体の自由端側から見た図である。
【図４】図１の実施形態の角度測定器により垂直角度を測定している際の、基体の蓋体との対向面の正面図である。
【図５】図１の実施形態の角度測定器により仰角を測定している際の、基体の蓋体との対向面の正面図である。
【図６】本発明の他の実施形態の角度測定器を示す概略図であり、（Ａ）は開放状態の角度測定器の斜視図、（Ｂ）は閉成状態の角度測定器の斜視図である。
【図７】電柱の周囲の構成の一例を示す概略斜視図である。
【図８】従来の角度測定器を示す概略図である。
【符号の説明】
【００４２】
１  角度測定器
２  ヒンジ（ヒンジ機構）
３  基体
４  蓋体
５  目盛り盤
６  針体
７  筒体（照準部材）
８  鏡体
９  係止部材
１０、１１  係合部材
１２  パッド
１３  薄肉ヒンジ（ヒンジ機構）
１４  照準板（照準部材）
【図１】
2007278939.tif 000003
【図２】
2007278939.tif 000004
【図３】
2007278939.tif 000005
【図４】
2007278939.tif 000006
【図５】
2007278939.tif 000007
【図６】
2007278939.tif 000008
【図７】
2007278939.tif 000009
【図８】
2007278939.tif 000010